(57)【特許請求の範囲】
【請求項１】
視認対象物と、
前記視認対象物を背後から照明するバックライトと、
を有し、
前記バックライトは、
前記視認対象物の背後、且つ、前記視認対象物の背面に沿う所定方向の一方側に配置され、第１の波長の光を生成する複数の第１の光源と、
前記視認対象物の背後、且つ、前記所定方向の前記一方側に配置され、前記第１の波長とは異なる第２の波長の光を生成する第２の光源と、
前記視認対象物の背面に対向して配置され、前記第１及び第２の光源により生成された光を前記所定方向の他方側へ導光しつつ、前記視認対象物の背面の各部に照射する導光板と、
を有し、
前記導光板は、前記複数の第１の光源及び第２の光源の光が入射する側面部に、平面視において前記側面部に沿って配列された、前記所定方向の前記一方側に突出する複数の突部を有し、
前記複数の第１の光源は、前記複数の突部の先端面に対向して配置され、
前記第２の光源は、前記複数の突部の間に形成された凹部の底面に対向して配置され、
前記複数の第１の光源の間の複数の間隔に対して、当該複数の間隔よりも少ない数の前記第２の光源が選択的に配置されている
表示装置。
【請求項２】
平面視において前記視認対象物及び前記導光板と重なる位置に分布して設けられており、前記視認対象物を背面側から透過して前記視認対象物の前方の被検出物により反射された前記第２の波長の光を検出する複数のセンサを有する
請求項１に記載の表示装置。
【請求項３】
前記第１の波長は、可視光の波長であり、
前記第２の波長は、非可視光の波長である
請求項２に記載の表示装置。
【請求項４】
前記複数の突部の先端面及び前記凹部の底面には、光を散乱可能に凹凸が形成されており、
前記凹部の底面の凹凸は、前記複数の突部の先端面の凹凸よりも細かく形成されている
請求項１に記載の表示装置。
【請求項５】
前記導光板は、光散乱物質が混ぜ込まれて形成されており、
前記光散乱物質は、平面視において、前記視認対象物に重なり、且つ、前記第２の光源が対向する領域の周囲となる領域において相対的に濃度が高くなっている
請求項１に記載の表示装置。
【請求項６】
第１の波長の光を生成する複数の第１の光源と、
前記第１の波長とは異なる第２の波長の光を生成する第２の光源と、
前記第１及び第２の光源により生成された光を所定方向に導光する導光部材と、
を有し、
前記導光部材は、前記複数の第１の光源及び第２の光源の光が入射する面部に、当該面部に沿って配列された複数の突部を有し、
前記複数の第１の光源は、前記複数の突部の先端面に対向して配置され、
前記第２の光源は、前記複数の突部の間に形成された凹部の底面に対向して配置され、
前記複数の第１の光源の間の複数の間隔に対して、当該複数の間隔よりも少ない数の前記第２の光源が選択的に配置されている
光学装置。
【発明の詳細な説明】
【技術分野】
【０００１】
本発明は、バックライトを有する表示装置及び当該表示装置等に利用可能な光学装置に関する。
【背景技術】
【０００２】
２種以上の光源を組み合わせたバックライトを有する表示装置が知られている。例えば、特許文献１は、バックライトから可視光及び非可視光を表示パネルへ放射し、可視光により画像表示を行うとともに、表示パネルに近接する被検出物（ユーザの指等）により反射された非可視光をセンサにより検出して、被検出物の近接を検出するタッチパネル式の液晶表示装置に関し、可視光を生成する光源と、非可視光を生成する光源とを組み合わせてバックライトを構成することを開示している。
【特許文献１】特開２００５−２７５６４４号公報
【発明の開示】
【発明が解決しようとする課題】
【０００３】
上記のように、可視光の光源と非可視光の光源とを組み合わせて表示パネルに照射する方法として、例えば、いわゆるサイドライト型のバックライトにおいて、表示パネルの背面に対向する導光板の側面に沿って、可視光を生成する複数のＬＥＤと非可視光を生成する複数のＬＥＤとを配列することが考えられる。しかし、導光板の側面という限られたスペースに対して、視認性から要求される表示の輝度に照らして十分な灯数の可視光のＬＥＤを配置するとともに、センサの感度に照らして十分な灯数の非可視光のＬＥＤを配置することは困難である。
【０００４】
そこで、導光板の側面から近接離間する方向において、可視光のＬＥＤの位置と非可視光のＬＥＤの位置とを互いにずらすことが考えられる。しかし、このような場合、可視光及び非可視光の光を均一に導光板に行き渡らせることが諸事情により困難になる。例えば、導光板の側面から離間された非可視光（又は可視光）のＬＥＤは、生成した光を効率的に導光板に入射させることができず、非可視光（又は可視光）を導光板に十分に行き渡らせるためには、灯数を増加させる必要が生じ、消費電力の増加を招く。
【０００５】
なお、２種の光の光源は、要求される灯数が互いに異なる場合が多い。例えば、可視光により画像の表示を行い、非可視光によりユーザの操作を検出するタッチパネル式の表示装置では、非可視光の灯数は可視光の灯数よりも少ないと考えられる。
【０００６】
本発明の目的は、波長及び灯数の異なる複数の光源の配置の自由度を向上しつつ、波長の異なる光を均一に放射可能な表示装置及び光学装置を提供することにある。
【課題を解決するための手段】
【０００７】
本発明の表示装置は、視認対象物と、前記視認対象物を背後から照明するバックライトと、を有し、前記バックライトは、前記視認対象物の背後、且つ、前記視認対象物の背面に沿う所定方向の一方側に配置され、第１の波長の光を生成する複数の第１の光源と、前記視認対象物の背後、且つ、前記所定方向の前記一方側に配置され、前記第１の波長とは異なる第２の波長の光を生成する、前記複数の第１の光源よりも少ない数の第２の光源と、前記視認対象物の背面に対向して配置され、前記第１及び第２の光源により生成された光を前記所定方向の他方側へ導光しつつ、前記視認対象物の背面の各部に照射する導光板と、を有し、前記導光板は、前記複数の第１の光源及び第２の光源の光が入射する側面部に、平面視において前記側面部に沿って配列された、前記所定方向の前記一方側に突出する複数の突部を有し、前記複数の第１の光源は、前記複数の突部の先端面に対向して配置され、前記第２の光源は、前記複数の突部の間に形成された凹部の底面に対向して配置されている。
【０００８】
好適には、平面視において前記視認対象物及び前記導光板と重なる位置に分布して設けられており、前記視認対象物を背面側から透過して前記視認対象物の前方の被検出物により反射された前記第２の波長の光を検出する複数のセンサを有する。
【０００９】
好適には、前記第１の波長は、可視光の波長であり、前記第２の波長は、非可視光の波長である。
【００１０】
好適には、前記複数の突部の先端面及び前記凹部の底面には、光を散乱可能に凹凸が形成されており、前記凹部の底面の凹凸は、前記複数の突部の先端面の凹凸よりも細かく形成されている。
【００１１】
好適には、前記導光板は、光散乱物質が混ぜ込まれて形成されており、前記光散乱物質は、平面視において、前記視認対象物に重なり、且つ、前記第２の光源が対向する領域の周囲となる領域において相対的に濃度が高くなっている。
【００１２】
本発明の光学装置は、第１の波長の光を生成する複数の第１の光源と、前記第１の波長とは異なる第２の波長の光を生成する、前記複数の第１の光源よりも少ない数の第２の光源と、前記第１及び第２の光源により生成された光を所定方向に導光する導光部材と、を有し、前記導光部材は、前記複数の第１の光源及び第２の光源の光が入射する面部に、当該面部に沿って配列された複数の突部を有し、前記複数の第１の光源は、前記複数の突部の先端面に対向して配置され、前記第２の光源は、前記複数の突部の間に形成された凹部の底面に対向して配置されている。
【発明の効果】
【００１３】
本発明によれば、波長及び灯数の異なる複数の光源の配置の自由度を向上しつつ、波長の異なる光を均一に放射できる。
【発明を実施するための最良の形態】
【００１４】
図１（ａ）は、本発明の第１の実施形態に係る表示装置５の概略構成を示す分解斜視図である。なお、図１においては一部の部材等が省略されている。
【００１５】
表示装置５は、いわゆるタッチセンサ式の表示装置により構成されており、画像を紙面上方側の表示面９ａに表示可能であるとともに、表示面９ａに近接又は接触したユーザの指等の被検出物を検出可能である。なお、以下では、図１の紙面上方側を前面側、前方側といい、紙面下方側を背面側、後方、背後ということがある。
【００１６】
まず、表示装置５の表示に係る構成を説明する。
【００１７】
表示装置５は、例えば、透過型若しくは半透過型の液晶表示装置により構成されており、画像を表示する表示パネル９と、表示パネル９を背後から照明するバックライト１１とを有している。
【００１８】
表示パネル９は、例えば、互いに対向配置され、隙間に液晶１５（図１（ｃ）参照）が封入されるアレイ基板１７及びＣＦ基板１９と、アレイ基板１７の後方及びＣＦ基板１９の前方に積層される入射側偏光板２１及び出射側偏光板２３とを有している。また、表示パネル９は、複数の画素２５を有しており、複数の画素２５毎にバックライト１１からの光の透過量を制御することにより、表示面９ａに画像を表示する。なお、表示面９ａは、例えば、出射側偏光板２３や出射側偏光板２３に積層される不図示の透光層により構成される。
【００１９】
表示パネル９は、例えば、ＴＡＢ３１を介して回路基板３３と電気的に接続されている。回路基板３３には、例えば、表示パネル９に画像を表示するための電気信号を表示パネル
９へ出力したり、表示面９ａに対するユーザの操作を検出するための電気信号が表示パネル９から入力される、ＩＣ等により構成された制御部（ＣＰＵ）３４が設けられている。
【００２０】
バックライト１１は、例えば、サイドライト型のバックライトにより構成されており、可視光及び非可視光を生成する光源部２７と、光源部２７から出射された可視光を表示パネル９の背後に導光しつつ表示パネル９の背面の各部に放射する導光板２９とを有している。光源部２７は、表示パネル９の背後、且つ、表示パネル９の背面に沿う所定方向の一方側（図１（ａ）の紙面左側）に配置されている。導光板２９は、概略形状が矩形の板状に形成されており、表示パネル９の背面に対向して配置されており、導光板２９の一側面側に配置された光源部２７からの光を表示パネル９の背面に沿う所定方向の他方側（図１（ａ）の紙面右側）へ導光する。
【００２１】
図１（ｂ）は、画素２５を模式的に示す平面図である。
【００２２】
画素２５は、複数種類（例えば３種類）の色（光の波長）に対応した複数のサブ画素３５Ｒ、３５Ｇ及び３５Ｂ（以下、Ｒ、Ｇ、Ｂを省略することがある。）を有している。サブ画素３５Ｒ、３５Ｇ及び３５Ｂは、例えば、赤色（Ｒ）、緑色（Ｇ）及び青色（Ｂ）に対応している。３種のサブ画素３５から出射される各色の光の光量が調整されることにより、画素２５において任意の色が視認され、表示面９ａに画像が表示される。
【００２３】
図１（ｃ）は、図１（ｂ）のＩＩｃ−ＩＩｃ線における断面を模式的に示す図である。
【００２４】
サブ画素３５においては、例えば、アレイ基板１７の液晶１５側の面に、サブ画素３５毎に設けられた画素電極３９、画素電極３９等による凹凸を平坦化するための入射側平坦化層４１、液晶１５を配向させるための入射側配向膜４３が積層されている。また、サブ画素３５においては、ＣＦ基板１９の液晶１５側の面に、各サブ画素３５に対応する色（波長）の光のみを透過させるカラーフィルタ４５、カラーフィルタ４５等による凹凸を平坦化するための出射側平坦化層４７、複数のサブ画素３５に共通に設けられた共通電極４９、液晶１５を配向させるための出射側配向膜５１が積層されている。
【００２５】
なお、アレイ基板１７には、この他、データ電極（一般に、Ｘ電極、データ信号線、ソース信号線と呼ばれることもある。）、液晶駆動用のスイッチング素子として機能するＴＦＴ素子、アクティブマトリックス動作のための信号保持容量としてのキャパシタ等が設けられるが、図示は省略する。
【００２６】
そして、サブ画素３５においては、画素電極３９及び共通電極４９に電圧が印加されることにより、液晶１５は、入射側配向膜４３及び出射側配向膜５１により規定される向きとは異なる向きへ、印加された電圧に応じた角度で配向する。これにより、入射側偏光板２１から出射側偏光板２３へ進む偏光の旋光する角度が制御され、ひいては、サブ画素３５における光量が調整される。
【００２７】
次に、表示装置５における、ユーザの操作を検出するための構成について説明する。
【００２８】
図１（ｂ）に示すように、画素２５は、表示面９ａの前方から入射する光を検出する検出部３７を有している。なお、サブ画素３５及び検出部３７の平面視における配置は適宜に設定されてよい。図１（ｂ）では、サブ画素３５及び検出部３７が矩形状に配置される場合を例示している。
【００２９】
図１（ｃ）に示すように、検出部３７においては、例えば、サブ画素３５における画素電極３９に代えて、受光した光を電気信号に変換する光電センサ４８が設けられている。光電センサ４８は、例えば、ａ−Ｓｉやｕ−Ｓｉを用いたＰＩＮフォトダイオードやＰＤＮフォトダイオードを含んで構成されている。光電センサ４８は、例えば、ＴＦＴ素子等と同様に、アレイ基板１７に対するフォトリソグラフィーなどにより形成される。
【００３０】
なお、検出部３７において、カラーフィルタ４５は設けられていてもよいし、設けられていなくてもよい。また、後述するように、光電センサ４８が、赤外光によりユーザの操作を検出するように構成されている場合には、ＳＮ比を向上させるために、カラーフィルタ４５に代えて、赤外光のみを通過させるＩＲフィルタが設けられるようにしてもよい。
【００３１】
図２（ａ）及び図２（ｂ）は、バックライト１１の光源部２７付近を拡大して示す平面図である。なお、図２（ａ）では、光源部２７からの可視光ＶＬの放射状況を示し、図２（ｂ）では、光源部２７からの非可視光ＩＬの放射状況を示している。
【００３２】
光源部２７は、例えば、可視光ＶＬを生成する複数の可視光ＬＥＤ５３と、非可視光を生成する複数の非可視光ＬＥＤ５５とを有している。
【００３３】
可視光ＶＬは、例えば、白色光であり、非可視光ＩＬは、例えば、赤外光である。なお、国際照明委員会（ＣＩＥ：Ｃｏｍｍｉｓｓｉｏｎ  Ｉｎｔｅｒｎａｔｉｏｎａｌ  ｄｅ  １’Ｅｃｌａｉｒｒａｇｅ）では、紫外光（これも非可視光の一例である。）と可視光との波長の境界は３６０ｎｍ〜４００ｎｍ、可視光と赤外光との波長の境界は７６０ｎｍ〜８３０ｎｍとしている。ただし、実用的には、３５０ｎｍ以下の波長を紫外光、７００ｎｍ以上の波長を赤外光としてもよい。
【００３４】
可視光ＬＥＤ５３及び非可視光ＬＥＤ５５はそれぞれ、例えば、リフレクタ付きのチップ型ＬＥＤにより構成されており、全体として概ね矩形に形成され、矩形の一方の面（図２の紙面下方側の面）に放射面５３ａ、５５ａを有している。放射面５３ａ、５５ａは、例えば、可視光ＬＥＤ５３及び非可視光ＬＥＤ５５の、放射面５３ａ、５５ａが設けられた面全体よりも若干小さい。可視光ＬＥＤ５３及び非可視光ＬＥＤ５５は、放射面５３ａ、５５ａを導光板２９の一の側面部２９ａに対向させて配置されている。複数の非可視光ＬＥＤ５５の灯数は、可視光ＬＥＤ５３の灯数よりも少ない。図２では、可視光ＬＥＤ５３が７個、非可視光ＬＥＤ５５が２個設けられている場合を例示している。可視光ＬＥＤ５３及び非可視光ＬＥＤ５５の大きさは適宜に設定されてよいが、図２では、可視光ＬＥＤ５３及び非可視光ＬＥＤ５５が概ね同等の大きさの場合を例示している。
【００３５】
導光板２９は、例えば、透光性のアクリル板により構成され、光源部２７からの光を前面及び背面により全反射させながら面に沿って導光する。導光板２９の背面には、例えば、導光板２９と一体的に形成された、若しくは、導光板２９とは別部材により形成された不図示のドットパターン（複数の突部）が設けられており、導光された光はドットパターンにより散乱されて表示パネル９に照射される。なお、導光板２９の背面側には、光を反射する反射シートが設けられてもよいし、導光板２９の前面側には、拡散シートやプリズムシートが設けられてもよい。
【００３６】
導光板２９は、光源部２７の光が入射する側面部２９ａに、平面視において側面部２９ａに沿って配列された、光源部２７側に突出する複数の突部２９ｂを有している。複数の突部２９ｂは、例えば、互いに同一の形状及び大きさで形成され、一定の間隔で配列されている。複数の突部２９ｂの形状は、例えば、矩形状である。複数の突部２９ｂの間には、複数の突部２９ｂにより複数の凹部２９ｃが形成されている。
【００３７】
複数の可視光ＬＥＤ５３は、複数の突部２９ｂの先端面に対向して配置されている。また、複数の非可視光ＬＥＤ５５は、複数の凹部２９ｃの底面に対向して配置されている。換言すれば、複数の可視光ＬＥＤ５３は、平面視において導光板２９の側面部２９ａに沿う方向に配列され、複数の非可視光ＬＥＤ５５は、平面視において、複数の可視光ＬＥＤ５３よりも図２の紙面下方側（導光板２９の導光先側）の位置、且つ、側面部２９ａに沿う方向において複数の可視光ＬＥＤ５３の間となる位置に配置されている。すなわち、複数の可視光ＬＥＤ５３及び複数の非可視光ＬＥＤ５５は、互い違いに２列となる配置位置のいずれかに選択的に配置されている。
【００３８】
なお、凹部２９ｃは、例えば、非可視光ＬＥＤ５５が嵌合する大きさ、若しくは、その大きさよりも若干大きく設定されている。また、突部２９ｂの先端面の大きさは、例えば、可視光ＬＥＤ５３の放射面５３ａの大きさと同等、若しくは、その大きさよりも若干大きく設定されている。
【００３９】
以上の実施形態によれば、表示装置５は、表示パネル９と、表示パネル９を背後から照明するバックライト１１とを有し、バックライト１１は、表示パネル９の背後、且つ、表示パネル９の背面に沿う所定方向（図１の紙面左右方向）の一方側（図１の紙面左側）に配置され、可視光の波長（波長域）の光を生成する複数の可視光ＬＥＤ５３と、表示パネル９の背後、且つ、前記所定方向の前記一方側（図１の紙面左側）に配置され、非可視光の波長（波長域）の光を生成する、複数の可視光ＬＥＤ５３よりも少ない数の非可視光ＬＥＤ５５と、表示パネル９の背面に対向して配置され、可視光ＬＥＤ５３及び非可視光ＬＥＤ５５により生成された光を前記所定方向の他方側（図１の紙面右側）へ導光しつつ、表示パネル９の背面の各部に照射する導光板２９とを有し、導光板２９は、複数の可視光ＬＥＤ５３及び非可視光ＬＥＤ５５の光が入射する側面部２９ａに、平面視において側面部２９ａに沿って配列された、所定方向の一方側（図２の紙面上方側）に突出する複数の突部２９ｂを有し、複数の可視光ＬＥＤ５３は、複数の突部２９ｂの先端面に対向して配置され、複数の非可視光ＬＥＤ５５は、複数の突部２９ｂの間に形成された凹部２９ｃの底面に対向して配置されていることから、波長及び灯数の異なる可視光ＬＥＤ５３及び非可視光ＬＥＤ５５の配置の自由度を向上しつつ、波長の異なる光を均一に放射できる。具体的には、以下のとおりである。
【００４０】
図２（ａ）に示すように、可視光ＬＥＤ５３から出射された可視光ＶＬは、突部２９ｂにより導光されて導光板２９の本体部２９ｍへ到達する。可視光ＶＬは、本体部２９ｍに到達すると、一定の角度θ１で図２の紙面左右方向（複数の突部２９ｂの配列方向）に広がりつつ、図２の紙面下方側（表示パネル９側）へ導光される。可視光ＬＥＤ５３から突部２９ｂに入射する光のうち、突部２９ｂに対して大きく傾斜する光は、複数の突部２９ｂの外周面（界面）から出射されてしまい、本体部２９ｍに到達しないから、本体部２９ｍに到達した可視光ＶＬの広がりの角度θ１は、比較的小さい。しかし、複数の可視光ＬＥＤ５３は、多数設けられていることから、可視光ＶＬは、表示パネル９と対向する領域では、図２の紙面左右方向に均一に広がる。
【００４１】
図２（ｂ）に示すように、非可視光ＬＥＤ５５から出射された非可視光ＩＬは、導光板２９の本体部２９ｍへ直接入射され、一定の角度θ２で図２の紙面左右方向（複数の突部２９ｂの配列方向）に広がりつつ、図２の紙面下方側（表示パネル９側）へ導光される。非可視光ＬＥＤ５５から出射された光は、可視光ＬＥＤ５３とは異なり、基本的には全ての角度の光が本体部２９ｍに入射されるから、非可視光ＩＬの本体部２９ｍにおける広がりの角度θ２は、可視光ＶＬの広がりの角度θ１よりも大きい。従って、非可視光ＬＥＤ５５の灯数は、可視光ＬＥＤ５３の灯数よりも少ないが、非可視光ＩＬは、表示パネル９と対向する領域において、複数の突部２９ｂの配列方向に均一に広がる。
【００４２】
従って、従来は光を均一に導光する観点から困難であった、複数の可視光ＬＥＤ５３及び非可視光ＬＥＤ５５の側面部２９ａからの距離を互いに異ならせる配置、換言すれば、複数の可視光ＬＥＤ５３及び複数の非可視光ＬＥＤ５５の２列配置が可能となる。その結果、例えば、側面部２９ａに沿う方向（図２の紙面左右方向）において、可視光ＬＥＤ５３と非可視光ＬＥＤ５５との間隔を狭くしたり、これらを一部重複させることができ、側面部２９ａに対して多くのＬＥＤを配置することができる。最適パワーが互いに異なる可視光及び非可視光の灯数を最適な数で配置することも可能となる。
【００４３】
なお、以上の実施形態において、バックライト１１は本発明の光学装置（照明装置）の一例であり、表示パネル９は本発明の視認対象物の一例であり、可視光ＬＥＤ５３は本発明の第１の光源の一例であり、非可視光ＬＥＤ５５は本発明の第２の光源の一例であり、可視光は本発明の第１の波長の光の一例であり、非可視光は本発明の第２の波長の光の一例であり、導光板２９は本発明の導光部材の一例であり、導光板２９の側面部２９ａは本発明の側面部及び面部の一例である。
【００４４】
図３は、本発明の変形例の要部を示す平面図である。
【００４５】
変形例の導光板１２９は、突部１２９ｂの先端面及び凹部１２９ｃの底面に、光を散乱可能に凹凸が形成されている。そして、凹部１２９ｃの底面の凹凸は、突部１２９ｂの先端面の凹凸よりも細かく形成されている。
【００４６】
従って、凹部１２９ｃの底面に入射した非可視光ＩＬは、突部１２９ｂの先端面に入射した可視光ＶＬよりも導光板１２９内部で図３の紙面左右方向（平面視において側面部１２９ａに沿う方向）に広がりやすい。その結果、非可視光ＬＥＤ５５は、可視光ＬＥＤ５３よりも灯数が少ないが、可視光ＶＬと同等に非可視光ＩＬを均一に導光させることができる。
【００４７】
なお、凹凸は、図３の紙面上方から見て２次元的に配置されていてもよいし、図３の紙面貫通方向に長い突条（溝）が図３の紙面左右方向に１次元的に配列されていてもよい。凹凸の大きさやピッチは適宜に設定されてよい。
【００４８】
図４は、本発明の他の変形例の要部を示す平面図である。
【００４９】
他の変形例の導光板２２９は、光を散乱する光散乱物質２２９ｆが混ぜ込まれて形成されている。例えば、導光板２２９は、いわゆる光散乱ポリマー導光体により構成されており、基体材料としてのアクリル樹脂に、当該アクリル樹脂とは屈折率の異なる、光散乱物質２２９ｆとしてのポリマーが混入されて構成されている。光散乱物質２２９ｆは、平面視において、表示パネル９に重なり、且つ、非可視光ＬＥＤ５５が対向する対向領域２２９ｈの周囲となる周囲領域２２９ｇにおいて相対的に濃度が高くなっている。なお、周囲領域２２９ｇは、非可視光ＬＥＤ５５が複数設けられている場合には、複数の非可視光ＬＥＤ５５の間の領域となる。図４では、非可視光ＬＥＤ５５が一の突部２２９ｂを挟んで配置されている場合を例示している。
【００５０】
非可視光ＬＥＤ５５は、灯数が少ないことから、周囲領域２２９ｇにおいては、非可視光ＩＬの光量が少なくなりやすい。その結果、例えば、非可視光ＩＬを利用した被検出物の検出感度に関し、表示パネル９の平面方向においてムラが生じるおそれがある。
【００５１】
しかし、上記のように周囲領域２２９ｇにおける光散乱物質２２９ｆの濃度が相対的に高く設定されると、周囲領域２２９ｇにおいては、導光板２９内を導光される光の光量に対する、表示パネル９側へ出射される光の光量の割合が多くなる。その結果、表示パネル９側へ出射される光の光量は、対向領域２２９ｈ及び周囲領域２２９ｇに亘って均一化され、検出ムラの発生も抑制される。
【００５２】
本発明は、以上の実施形態や変形例に限定されず、種々の態様で実施されてよい。また、実施形態及び変形例に示された態様は、適宜に組み合わされて実施されてよい。
【００５３】
本発明の表示装置は、あらゆる電子機器に適用されてよい。例えば、本発明の表示装置は、携帯電話機、デジタルカメラ、ＰＤＡ、ノートパソコン、ゲーム機、テレビ、カーナビゲーション、ＡＴＭに適用されてよい。
【００５４】
本発明の表示装置は、画像を表示する表示パネルを有するものに限定されない。換言すれば、ユーザに視認される視認対象物は表示パネルに限定されない。例えば、視認対象物は、複数のキーや地図等の図形が描かれた紙であってもよい。
【００５５】
本発明の表示装置が表示パネルを有する場合、表示パネルは、複数の画素により画像を表示するものに限定されない。例えば、表示パネルは、セグメント表示を行うものであってもよい。表示パネルは、液晶表示装置に限定されず、例えば、有機ＥＬ表示装置や電子ペーパー（Ｅ−ｐａｐｅｒ）であってもよい。
【００５６】
第２の光源は、第１の光源よりも灯数が少なければ、１つでも、複数であってもよい。第１の波長及び第２の波長の組み合わせは、可視光の波長及び非可視光の波長の組み合わせに限定されない。例えば、第１の波長及び第２の波長は、それぞれ可視光の波長域内の互いに異なる波長であってもよいし、第１の波長が非可視光の波長で、第２の波長が可視光の波長であってもよい。また、非可視光は、赤外光に限定されず、紫外光であってもよい。第１及び第２の光源は、レーザー光源のように単波長の光を生成するものであってもよいし、白色光源のように所定の波長域の光を生成するものであってもよい。第１及び第２の光源が、波長域の光を生成するものである場合には、第１の光源及び第２の光源の波長域は互いに一部が重複していてもよい。
【００５７】
第１の波長の光の用途及び第２の波長の光の用途の組み合わせは、視認対象物の照明及び被検出物の検出の組み合わせに限定されない。例えば、第１の波長及び第２の波長を、それぞれ可視光の波長域内の互いに異なる波長とし、換言すれば、第１の光源及び第２の光源を色の異なる光の光源とし、第１の光源及び第２の光源からの光の光量のバランスを制御して照明する色を変化させてもよい。
【００５８】
複数のセンサの配列や密度は適宜に設定されてよく、さらには、局部的に配列や密度が変化してもよい。複数のセンサは、画素毎に設けられていなくてもよく、例えば、２〜５個等の複数且つ少数の画素に共通に１つのセンサが設けられるように分布して配置されてもよい。センサは、視認対象物（表示パネルを含む）の前方に設けられてもよいし、後方に設けられてもよい。
【００５９】
導光部材は、導光部材は、板状のもの（導光板）に限定されず、例えば、長尺状の直方体状のものや立方体状のものであってもよい。また、導光部材は、光を導光方向（実施形態では図１の紙面右方向）へ導光しつつ、その導光方向に交差する方向（実施形態では図１の紙面上方）に光を射出するものに限定されず、例えば、導光方向へ光を出射するものであってもよい。
【００６０】
導光部材の複数の突部の形状は適宜に設定されてよく、矩形状に限定されない。例えば、突部は、先端側ほど拡径するように形成されていてもよい。この場合、先端面に対向する第１の光源を大きくすることができる。
【図面の簡単な説明】
【００６１】
【図１】本発明の実施形態に表示装置の概略構成を示す図。
【図２】図１の表示装置の光源部周辺を拡大して示す平面図。
【図３】本発明の変形例の要部を示す平面図。
【図４】本発明の他の変形例の要部を示す平面図。
【符号の説明】
【００６２】
５…表示装置、９…表示パネル（視認対象物）、１１…バックライト、２９…導光板（導光部材）、２９ａ…側面部（面部）、２９ｂ…突部、５３…可視光ＬＥＤ（第１の光源）、５５…非可視光ＬＥＤ（第２の光源）。
【図１】
0004626645.tif 000002
【図２】
0004626645.tif 000003
【図３】
0004626645.tif 000004
【図４】
0004626645.tif 000005